(57)【要約】  【課題】  貼りつくように形成されたアンテナにより、データの読み取りや保存ができるだけでなく、ワイヤレス送受信機能を具えたメモリカードを提供する。  【解決手段】  内部に設けられたプリント回路板と、該プリント回路板上に設けられたマイクロプロセッサと、メモリと、外側一端に形成された粘着部と、該粘着部がメモリに対向する内部に延伸して設けられた接続線によりマイクロプロセッサに接続したメモリカードと、メモリカードの外部に形成された粘着部上に貼着し、粘着部と貼着する面に導電材質にプリントにより形成されたアンテナを具え、該アンテナはメモリカード上の接続線と接続する粘着体とを含んでなる。【選択図】  図２
2006018624.tif 000002
【特許請求の範囲】
【請求項１】
内部に設けられたプリント回路板と、該プリント回路板上に設けられたマイクロプロセッサと、メモリと、外側一端に形成された粘着部と、該粘着部がメモリに対向する内部に延伸して設けられた接続線によりマイクロプロセッサに接続したメモリカードと、
メモリカードの外部に形成された粘着部上に貼着し、粘着部と貼着する面に導電材質にプリントにより形成されたアンテナを具え、該アンテナはメモリカード上の接続線と接続する粘着体とを含んでなり、メモリカードは読み取りや保存機能以外に、アンテナを設けることによりワイヤレス送受信機能を具えて構成されることを特徴とするワイヤレス送受信機能を具えたメモリカード。
【請求項２】
前記粘着体は非導電材料により形成されることを特徴とする請求項１に記載するワイヤレス送受信機能を具えたメモリカード。
【請求項３】
前記導電材質が銀ペーストであることを特徴とする請求項２に記載するワイヤレス送受信機能を具えたメモリカード。
【発明の詳細な説明】
【技術分野】
【０００１】
この発明は、ワイヤレス送受信機能を具えたメモリカードに関し、特に導電材質のアンテナを具えたワイヤレス送受信機能を具えたメモリカードに関する。
【背景技術】
【０００２】
最近の科学技術の発展により、データのアクセスは更にすばやく、便利になっている。従来のキャッシュカードは磁気によるバーコードを利用してデータの読み取りと比較を行っていたが、現在ではチップを利用したカードに変化している。チップによりデータを読み取るため使用者のデータが外部に漏れることがない。
【０００３】
従来のコンピュータは磁気シートを利用してアクセスを行っていたが、次第に光ディスクが使用されるようになり、メモリカードは容量が８Mから今では容量が２５６M、５１２M、或いは１Gになった。メモリカードの使用は現在の情報化時代には欠かせないこととなっている。
【０００４】
従来のメモリカードは、チップのフォーマットや電気回路の設置の違いによってSDカード、MMCカード、CFカード、XDカード、SMカード、SIMか‐ド、RSMMCカード、MINISDカードなど異なる規格のメモリカードがあった。
【０００５】
しかし、前述の各種メモリカードは、使用する場合、規格が異なり互換性がないため使用上で多くの制限があった。
【０００６】
図１に現在、市場でよく見かけるSDメモリカードを開示する。図面によれば、メモリカード（１０）は、一端に入力／出力インタフェイス（１４）を具えている。カード読み取り機か、或いはカード読み取り装置を利用してデータの読み取りを行う場合、メモリカード（１０）は入力／出力インタフェイス（１４）を介してカード読み取り機か、或いはカード読み取り装置の端子に接触し、メモリカード（１０）内部のデータの読み取りか、或いは保存を行う。
【０００７】
メモリカード（１０）は、カード読み取り機か、或いはカード読み取り装置を利用することによって、はじめてデータの読み取り、もしくは保存を行うことができる。言いかえれば、カード読み取り機か、或いはカード読み取り装置を利用しなければ、メモリカード（１０）は読み取りや保存の効果を失う。よって、メモリカード（１０）は使用上大きな制限を受けていた。
【発明の開示】
【発明が解決しようとする課題】
【０００８】
この発明は、ワイヤレス送受信によるデータの読み取り、保存機能を具えたメモリカードを提供することを課題とする。
【課題を解決するための手段】
【０００９】
そこで、本発明の発明者は従来の技術に見られる欠点に鑑みて鋭意研究を重ねた結果、内部に設けられたプリント回路板と、該プリント回路板上に設けられたマイクロプロセッサと、メモリと、外側一端に形成された粘着部と、該粘着部がメモリに対向する内部に延伸して設けられた接続線によりマイクロプロセッサに接続したメモリカードと、メモリカードの外部に形成された粘着部上に貼着し、粘着部と貼着する面に導電材質にプリントにより形成されたアンテナを具え、該アンテナはメモリカード上の接続線と接続する粘着体とを含んでなるワイヤレス機能を具えたメモリカードの構造によって課題を解決できる点に着眼し、かかる知見に基づいて本発明を完成させた。
【００１０】
以下、この発明について具体的に説明する。
請求項１に記載するワイヤレス送受信機能を具えたメモリカードは、内部に設けられたプリント回路板と、該プリント回路板上に設けられたマイクロプロセッサと、メモリと、外側一端に形成された粘着部と、該粘着部がメモリに対向する内部に延伸して設けられた接続線によりマイクロプロセッサに接続したメモリカードと、メモリカードの外部に形成された粘着部上に貼着し、粘着部と貼着する面に導電材質にプリントにより形成されたアンテナを具え、該アンテナはメモリカード上の接続線と接続する粘着体とを含んでなり、メモリカードは読み取りや保存機能以外に、アンテナを設けることによりワイヤレス送受信機能を具えて構成される。
【００１１】
請求項２に記載するワイヤレス送受信機能を具えたメモリカードは、請求項１に記載する粘着体が、非導電材料により形成される。
【００１２】
請求項３に記載するワイヤレス送受信機能を具えたメモリカードは、請求項２に記載する導電材質が、銀ペーストである。
【発明の効果】
【００１３】
この発明による地下鉄、バス、小額の買い物に使用するカードなど一般的にチップを利用したカードに応用したり、クレジットカードやIDカード上に応用してチップを利用したカードの使用を更に便利にすることができる効果を高める利点を有する。
【発明を実施するための最良の形態】
【００１４】
この発明は、貼りつくように形成されたアンテナにより、データの読み取りや保存ができるだけでなく、ワイヤレス送受信機能を具えたメモリカードを提供するものであって、内部に設けられたプリント回路板と、該プリント回路板上に設けられたマイクロプロセッサと、メモリと、外側一端に形成された粘着部と、該粘着部がメモリに対向する内部に延伸して設けられた接続線によりマイクロプロセッサに接続したメモリカードと、メモリカードの外部に形成された粘着部上に貼着し、粘着部と貼着する面に導電材質にプリントにより形成されたアンテナを具え、該アンテナはメモリカード上の接続線と接続する粘着体とを含んでなる。
かかる ワイヤレス送受信機能を具えたメモリカードの構造と特徴を詳述するために具体的な実施例を挙げ、図示を参照にして以下に説明する。
【実施例】
【００１５】
この発明によるメモリカードは、図２、図３に開示するようにメモリカード（１０）と粘着体（２０）を含んでなる。該メモリカード（１０）は、内部にプリント回路板（１１）（図４参照）を具える。該プリント回路板（１１）上の一端には、マイクロプロセッサ（１２）と、メモリ（１３）とを具え、他端には入力／出力インタフェイス（１４）（図１参照）を具えるとともに、メモリカード（１０）の外側に突出した一端であって、メモリカード（１０）のマイクロプロセッサ（１２）と、メモリ（１３）に対応する位置に粘着部（１５）を形成する。該粘着部（１５）はメモリカード（１０）内部に延伸する接続線（１６）を介してマイクロプロセッサ（１２）と電気的に接続する。
【００１６】
該粘着体（２０）は、非導電材質からなり、メモリカード（１０）の外部に形成された粘着部（１５）上に粘着し、粘着体（２０）を粘着した粘着部（１５）に導電材質をプリントして形成したアンテナ（２１）を貼着する。該アンテナ（２１）はメモリカード（２０）上の接続線（１６）に接触する。
【００１７】
よって、図４に開示するように、粘着体（２０）をメモリカード（１０）上に形成された粘着部（１５）に粘着してアンテナ（２１）を貼着し、該アンテナ（２１）は、メモリカード（１０）上の接続線（１６）の一端と接触し、該接続線（１６）は一端がアンテナ（２１）上に接続し、他端はメモリカード（１０）の内部に設けられたマイクロプロセッサ（１２）と電気的に接続する。かかるの構造によりワイヤレス送受信機能を具えたメモリカード（２０）が形成される。
【００１８】
図５に開示するように、メモリカード（２０）は送受信プラットフォーム（３０）とデータの読み取りや保存を行う場合、入力／出力インタフェイス（１４）と送受信プラットフォーム（３０）に接続して行う以外に、送受信プラットフォーム（３０）上のワイヤレス送受信シグナルを利用し、メモリカード（１０）上のアンテナ（２１）を介して内部のマイクロプロセッサ（１２）とリンクし、マイクロプロセッサ（１２）を駆動することによってメモリ（１３）内でデータの読み取りと保存を行う。
【００１９】
メモリカード（１０）は、アンテナ（２１）を設けることによりメモリカード（１０）はＳＩＭか‐ドの機能を整合することができ、データの読み取りや、保存機能以外に、携帯電話機に挿入して携帯電話機による通信に饗することができる。また、赤外線、或いはブルーティース技術を利用してデータの送受信を行うことができる。
【００２０】
また、この発明のメモリカードはアンテナの機能と合わせて地下鉄、バス、小額の買い物に使用するカードなど一般的にチップを利用したカードに応用することができる。また、クレジットカードか、或いはIDカード上に応用してチップを利用したカードの使用を更に便利にすることができる。
【００２１】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２２】
【図１】従来のメモリカードの説明図である。
【図２】この発明のワイヤレス機能を具えたメモリカードの分解図である。
【図３】図２に開示するワイヤレス機能を具えたメモリカードの正面図である。
【図４】図２に開示するワイヤレス機能を具えたメモリカードの部分拡大図である。
【図５】図２に開示するワイヤレス機能を具えたメモリカードの送受信の動作を示した説明図である。
【符号の説明】
【００２３】
１０        メモリカード
１１        印刷電子回路板
１２        マイクロプロセッサ
１３        メモリ
１４        入力／出力インタフェイス
１５        粘着部
１６        延伸接続線
２０        粘着体
２１        アンテナ
【図１】
2006018624.tif 000003
【図２】
2006018624.tif 000004
【図３】
2006018624.tif 000005
【図４】
2006018624.tif 000006
【図５】
2006018624.tif 000007